(57)【要約】【課題】  ユーザ毎の管理情報を取得・管理することを目的とするものである。【解決手段】  ネットワークに接続された管理対象機器と、同じく前記ネットワークに接続され、ＳＮＭＰを用いて前記管理対象機器から管理情報を取得し、当該管理情報に基づいて前記管理対象機器を管理するネットワーク管理サーバとを備えるネットワーク管理システムであって、前記管理対象機器は、前記管理情報を格納するための拡張ＭＩＢを備え、前記管理対象機器の下位側に接続されているユーザ端末に関する管理情報を取得し、当該管理情報を前記ユーザ端末のＩＰアドレス毎に前記拡張ＭＩＢに格納する、という手段を採用する。【選択図】      図１
2006331289.tif 000002
【特許請求の範囲】
【請求項１】
ネットワークに接続された管理対象機器と、同じく前記ネットワークに接続され、ＳＮＭＰ（Simple Network Management Protocol）を用いて前記管理対象機器から管理情報を取得し、当該管理情報に基づいて前記管理対象機器を管理するネットワーク管理サーバとを備えるネットワーク管理システムであって、
前記管理対象機器は、前記管理情報を格納するための拡張ＭＩＢ（Management Information Base）を備え、前記管理対象機器の下位側に接続されているユーザ端末に関する管理情報を取得し、当該管理情報を前記ユーザ端末のＩＰアドレス毎に前記拡張ＭＩＢに格納する
ことを特徴とするネットワーク管理システム。
【請求項２】
管理対象機器は、前記ユーザ端末に関する管理情報として、ユーザ端末が送受信したパケットデータの送受信パケット数、送受信バイト数及びエラーパケット数を取得することを特徴とする請求項１記載のネットワーク管理システム。
【請求項３】
管理対象機器は、ユーザ端末のＩＰアドレスがわからない場合に、当該ユーザ端末に
ＩＰアドレスを付与すると共に、ユーザ端末に関する管理情報としてユーザ端末の識別情報を取得することを特徴とする請求項１または２記載のネットワーク管理システム。
【請求項４】
管理対象機器は、ルータであることを特徴とする請求項１〜３いずれかに記載のネットワーク管理システム。
【請求項５】
ＳＮＭＰを用いてネットワークに接続された管理対象機器から管理情報を取得し、当該管理情報に基づいて前記管理対象機器を管理するネットワーク管理方法であって、
前記管理対象機器は、前記管理情報を格納するための拡張ＭＩＢを備え、前記管理対象機器の下位側に接続されているユーザ端末に関する管理情報を取得し、当該管理情報を前記ユーザ端末のＩＰアドレス毎に前記拡張ＭＩＢに格納する
ことを特徴とするネットワーク管理方法。
【請求項６】
管理情報を格納するための拡張ＭＩＢと、
ユーザ端末と接続されるインターフェースと、
前記ユーザ端末から前記インターフェースを介して前記管理情報を取得し、当該管理情報を前記ユーザ端末のＩＰアドレス毎に前記拡張ＭＩＢに格納する制御部と
を備えることを特徴とする管理対象機器。
【発明の詳細な説明】
【技術分野】
【０００１】
本発明は、ネットワーク管理システム及び方法、管理対象機器に関する。
【背景技術】
【０００２】
近年のインターネットの普及に伴い、様々な場所で数々のネットワークシステムが構築されており、これらのネットワークシステムはネットワーク管理者によって適切に管理する必要がある。このようなネットワーク管理用のプロトコルとしてＳＮＭＰ（Simple Network Management Protocol）が広く使用されている。このＳＮＭＰは、ネットワークに接続された複数の管理対象機器と、これらの管理対象機器を一元管理するＳＮＭＰ管理サーバとから構成されており、上記管理対象機器はエージェントと呼ばれるソフトウェアとＭＩＢ（Management Information Base）と呼ばれる管理情報ベースとを有し、また、ＳＮＭＰ管理サーバはマネージャと呼ばれるソフトウェアを有している。マネージャは、エージェントに対して管理対象機器に関する所定の管理情報を要求し、エージェントは、マネージャが要求してきた管理情報を上記ＭＩＢから取得してＳＮＭＰ管理サーバに送信する等の機能を有している。このように管理対象機器に関する管理情報をＳＮＭＰ管理サーバに集めることによってネットワークの管理が行われている。
【０００３】
上記ＭＩＢは、ＩＥＴＦ（Internet Engineering Task Force）が策定したＲＦＣ１２１３  ＭＩＢ−２に代表されるように標準化（標準ＭＩＢ）がなされ、ルータ等の管理対象機器に広く実装されており、また、標準ＭＩＢで定められていないベンダ固有の管理情報は拡張ＭＩＢとして定義することが可能である。ＭＩＢに格納されている管理情報は管理オブジェクトと呼ばれ、当該管理オブジェクトは管理情報の要素によってツリー構造で管理されており、それぞれにオブジェクトＩＤという識別子が割り振られている。このオブジェクトＩＤは、「1.3.6.1.2.1.1.6」のようにピリオドで区切られた数字であり、マネージャはエージェントに対して、このようなオブジェクトＩＤを指定して管理対象機器の管理情報の取得を要求している。
【０００４】
上記標準ＭＩＢは、主に管理対象機器全体及びインターフェースに関する管理情報を格納するデータベースとして利用されており、例えば、管理対象機器全体に関する管理情報として、起動後からの経過時間、ＣＰＵ負荷率、温度情報等を格納し、また、インターフェースに関する管理情報として、送受信パケット数、送受信バイト数、エラーパケット数等を格納している。このようなネットワーク管理システムに関する技術として、例えば下記特許文献１が開示されている。
【特許文献１】特開平１１−２６１６７０号公報
【発明の開示】
【発明が解決しようとする課題】
【０００５】
確かに、上記標準ＭＩＢでは、管理対象機器が備えるインターフェース毎に送受信パケット数、送受信バイト数、エラーパケット数を管理することができる。しかしながら、１つのインターフェースを複数のユーザが共有するような環境の場合は、標準ＭＩＢではユーザ毎の送受信パケット数、送受信バイト数、エラーパケット数を管理することはできない。このようなユーザ毎の送受信パケット数、送受信バイト数及びエラーパケット数に関する管理情報は、ネットワーク回線の料金体系が定額制ではなく、パケット課金を主とする従量課金である場合には重要な要素であるにも関わらず、ネットワーク管理者はこれらを管理することができず、非常に不都合であった。
【０００６】
本発明は、上述した事情に鑑みてなされたものであり、１つのインターフェースを複数のユーザが共有する場合であっても、ユーザ毎の管理情報を取得・管理することを目的とするものである。
【課題を解決するための手段】
【０００７】
上記目的を達成するために、本発明では、ネットワーク管理システムに係る第１の解決手段として、ネットワークに接続された管理対象機器と、同じく前記ネットワークに接続され、ＳＮＭＰ（Simple Network Management Protocol）を用いて前記管理対象機器から管理情報を取得し、当該管理情報に基づいて前記管理対象機器を管理するネットワーク管理サーバとを備えるネットワーク管理システムであって、前記管理対象機器は、前記管理情報を格納するための拡張ＭＩＢ（Management Information Base）を備え、前記管理対象機器の下位側に接続されているユーザ端末に関する管理情報を取得し、当該管理情報を前記ユーザ端末のＩＰアドレス毎に前記拡張ＭＩＢに格納する、という手段を採用する。
【０００８】
また、本発明では、ネットワーク管理システムに係る第２の解決手段として、上記第１の解決手段において、管理対象機器は、前記ユーザ端末に関する管理情報として、ユーザ端末が送受信したパケットデータの送受信パケット数、送受信バイト数及びエラーパケット数を取得する、という手段を採用する。
【０００９】
また、本発明では、ネットワーク管理システムに係る第３の解決手段として、上記第１または２の解決手段において、管理対象機器は、ユーザ端末のＩＰアドレスがわからない場合に、当該ユーザ端末にＩＰアドレスを付与すると共に、ユーザ端末に関する管理情報としてユーザ端末の識別情報を取得する、という手段を採用する。
【００１０】
また、本発明では、ネットワーク管理システムに係る第４の解決手段として、上記第１〜３いずれかの解決手段において、管理対象機器は、ルータであることを特徴とする。
【００１１】
一方、本発明では、ネットワーク管理方法に係る第１の解決手段として、ＳＮＭＰを用いてネットワークに接続された管理対象機器から管理情報を取得し、当該管理情報に基づいて前記管理対象機器を管理するネットワーク管理方法であって、前記管理対象機器は、前記管理情報を格納するための拡張ＭＩＢを備え、前記管理対象機器の下位側に接続されているユーザ端末に関する管理情報を取得し、当該管理情報を前記ユーザ端末のＩＰアドレス毎に前記拡張ＭＩＢに格納する、という手段を採用する。
【００１２】
さらに、本発明では、管理対象機器に係る第１の解決手段として、管理情報を格納するための拡張ＭＩＢと、ユーザ端末と接続されるインターフェースと、前記ユーザ端末から前記インターフェースを介して前記管理情報を取得し、当該管理情報を前記ユーザ端末のＩＰアドレス毎に前記拡張ＭＩＢに格納する制御部とを備える、という手段を採用する。
【発明の効果】
【００１３】
本発明によれば、管理対象機器は、拡張ＭＩＢを備え、前記管理対象機器の下位側に接続されているユーザ端末のＩＰアドレスを取得し、また、当該ＩＰアドレスに対応するユーザ端末に関する管理情報を取得して前記拡張ＭＩＢに格納するので、ネットワーク管理サーバ、すなわちネットワーク管理者は、ユーザ毎の管理情報を取得及び管理することが可能である。
【発明を実施するための最良の形態】
【００１４】
以下、図面を参照して、本発明の実施形態について説明する。
〔第１実施形態〕
図１は、本発明の第１実施形態に係わるネットワーク管理システムの構成概略図である。この図において、符号１はＳＮＭＰ管理サーバ、２は通信回線網、３は管理対象機器、４ａ〜４ｎはユーザ端末である。なお、本実施形態におけるネットワーク管理システムは、ＳＮＭＰを用いてネットワーク管理を行うものである。
【００１５】
ＳＮＭＰ管理サーバ１は、通信回線網２に接続され、管理対象機器３を管理するためのマネージャを備えている。このＳＮＭＰ管理サーバ１は、管理対象機器３から所定の管理情報を取得し、当該管理情報に基づいて管理対象機器３の設定変更等の管理やユーザへのパケット課金を管理している。通信回線網２は、全国各地に張り巡らされたアナログ電話回線網である。
【００１６】
管理対象機器３は、例えばルータであり、通信回線網２に接続され、ユーザ端末４ａ〜４ｎから入力されるＩＰパケットデータをルーティングして通信回線網２に出力する。
【００１７】
この管理対象機器３は、制御部３ａ、インターフェース３ｂ、ＭＩＢ３ｃから構成されている。詳細は後述するが、制御部３ａにはＳＮＭＰ管理サーバ１と管理情報のやり取りを行うためのエージェントがインストールされており、管理対象機器３全体に関する装置管理情報（起動後からの経過時間、ＣＰＵ負荷率、温度情報等）やインターフェース３ｂに関するインターフェース管理情報（送受信パケット数、送受信バイト数、エラーパケット数等）及びユーザ端末４ａ〜４ｎそれぞれのユーザ管理情報（ＩＰアドレス、送受信パケット数、送受信バイト数、エラーパケット数）を取得してＭＩＢ３ｃに格納する。また、制御部３ａは、インターフェース３ｂを介してユーザ端末４ａ〜４ｎから入力されるＩＰパケットデータをルーティングして通信回線網２に出力する。インターフェース３ｂは、ユーザ端末４ａ〜４ｎと管理対象機器３とを所定の通信方式にて接続するためのものである。
【００１８】
ＭＩＢ３ｃは、ＲＦＣ１２１３  ＭＩＢ−２に規定された標準ＭＩＢを拡張した拡張ＭＩＢである。すなわち、この拡張ＭＩＢは、管理オブジェクト（管理情報）として新たにユーザ端末４ａ〜４ｎのＩＰアドレスと、このＩＰアドレス毎の送受信パケット数、送受信バイト数及びエラーパケット数を定義したＭＩＢである。
【００１９】
ユーザ端末４ａ〜４ｎは、ユーザが所有する通信端末であり、それぞれのユーザ端末４ａ〜４ｎには、ＩＰアドレス（グローバルＩＰアドレス）が割り振られている。
【００２０】
次に、このように構成されたネットワーク管理システムの動作について説明する。
【００２１】
図２は、管理対象機器３の制御部３ａの動作フローチャート図である。なお、ここでは、標準ＭＩＢでも管理していた管理対象機器３全体に関する装置管理情報（起動後からの経過時間、ＣＰＵ負荷率、温度情報等）やインターフェース３ｂに関するインターフェース管理情報（送受信パケット数、送受信バイト数、エラーパケット数等）の取得に関しては説明を省略し、本ネットワーク管理システムの最大の特徴であるユーザ端末４ａ〜４ｎそれぞれのユーザ管理情報を取得する動作について説明する。
【００２２】
まず、制御部３ａは、ユーザ端末４ａからインターフェース３ｂを介して入力されるＩＰパケットデータのＩＰアドレスヘッダからＩＰアドレス（この時のＩＰアドレスをＩＰアドレス１とする）を検出する（ステップＳ１）。そして、制御部３ａは、このＩＰアドレス１が新たなＩＰアドレスか否かを判定し（ステップＳ２）、新たなＩＰアドレスであれば、図３に示すようにＭＩＢ３ｃに上記ＩＰアドレスに対応したユーザ管理情報格納部１０を作成する（ステップＳ３）。この時、ユーザ管理情報格納部１０には、ＩＰアドレス１が格納される。
【００２３】
続いて、制御部３ａは、上記ＩＰアドレス１、すなわちユーザ端末４ａに関するユーザ管理情報（送受信パケット数、送受信バイト数、エラーパケット数）の取得を開始してユーザ管理情報格納部１０に格納していく（ステップＳ４）。そして、制御部３ａは、ステップＳ１に戻り、ユーザ端末４ｂからインターフェース３ｂを介して入力されるＩＰパケットデータのＩＰアドレスヘッダからＩＰアドレス（この時のＩＰアドレスをＩＰアドレス２とする）を検出する（ステップＳ１）。以降は上記と同様の動作を行い、ＩＰアドレス２に対応したユーザ管理情報格納部１１を作成して、ユーザ端末４ｂに関するユーザ管理情報の取得を開始してユーザ管理情報格納部１１に格納していく。これらの一連の動作をユーザ端末４ｎまで繰り返し、ステップＳ２で新たなＩＰアドレスが検出されなくなると、以降は各ユーザ管理情報の取得及び格納のみが行われる。なお、図３に示すようにＭＩＢ３ｃには、装置管理情報を格納する装置管理情報格納部１２、インターフェース管理情報を格納するインターフェース管理情報格納部１３も作成される。
【００２４】
そして、ＳＮＭＰ管理サーバ１、すなわちマネージャは、エージェントである制御部３ａに対して、新たに定義した管理オブジェクトであるＩＰアドレス、送受信パケット数、送受信バイト数及びエラーパケット数のオブジェクトＩＤを指定し、制御部３ａは、指定されたオブジェクトＩＤを持つ上記ユーザ管理情報をＭＩＢ３ｃから取得してＳＮＭＰ管理サーバ１に送信する。ネットワーク管理者は、上記のように取得したユーザ管理情報に基づいてユーザに対してパケット課金を行う。
【００２５】
このように、本第１実施形態によれば、管理対象機器３が備える１つのインターフェース３ｂを複数のユーザが共有する場合において、管理オブジェクトとして新たにＩＰアドレスと、このＩＰアドレス毎の送受信パケット数、送受信バイト数及びエラーパケット数を定義した拡張ＭＩＢを用いることで、ユーザ毎の管理情報を得ることができ、パケット課金にも対応することが可能である。
【００２６】
〔第２実施形態〕
次に、本発明の第２実施形態について説明する。
上記第１実施形態では、グローバルＩＰアドレスを用いたグローバルネットワークの管理システムについて説明した。本第２実施形態では、ローカルネットワークにおける管理システムについて説明する。
【００２７】
図４は、本発明の第２実施形態に係わるネットワーク管理システムの構成概略図である。この図において、符号１はＳＮＭＰ管理サーバ、２は通信回線網、２０は無線基地局、３０は移動車輌、４０は無線中継装置（管理対象機器）、５０ａ〜５０ｎは無線ＬＡＮ端末である。なお、図４において、第１実施形態と同じ構成要素については同一符号を付し、説明を省略する。
【００２８】
無線基地局２０は、所定のサービスエリア毎に設置され、当該サービスエリアに存在する無線中継装置４０を無線通信により通信回線網２に接続するための中継局である。
【００２９】
移動車輌３０は、例えば、バスや電車等の多数の乗客が乗降する大衆輸送車輌であり、その内部には、乗客（ユーザ）が携帯している携帯電話やノートＰＣ等の無線ＬＡＮ端末５０ａ〜５０ｎと外部のネットワークである通信回線網２とを無線通信接続するための無線中継装置４０が設置されている。すなわち、これら無線中継装置４０と無線ＬＡＮ端末５０ａ〜５０ｎとによって移動車輌３０内部に無線ＬＡＮ（ローカルネットワーク）が構築されている。
【００３０】
上記無線中継装置４０は、図５に示すように無線通信部４０ａ、端末通信部４０ｂ、制御部４０ｃ、ＭＩＢ４０ｄから構成されている。無線通信部４０ａは、所定の通信方式、例えば、１ｘＥＶ−ＤＯ（１ｘ Evolution Data Only）方式等を用いて無線基地局２０と無線通信を行うものであり、無線基地局２０を介して通信回線網２と接続されている。端末通信部４０ｂは、無線ＬＡＮ端末５０ａ〜５０ｎと無線通信を行うものであり、第１実施形態におけるインターフェース３ｂに相当する構成要素である。
【００３１】
制御部４０ｃは、第１実施形態と同じくＳＮＭＰ管理サーバ１と管理情報のやり取りを行うためのエージェントがインストールされており、無線中継装置４０全体に関する装置管理情報（起動後からの経過時間、ＣＰＵ負荷率、温度情報等）や端末通信部４０ｂに関するインターフェース管理情報（送受信パケット数、送受信バイト数、エラーパケット数等）を取得してＭＩＢ４０ｄに格納する。また、詳細は後述するが、制御部４０ｃは、無線ＬＡＮ端末５０ａ〜５０ｎに対して、それぞれローカルＩＰアドレス（以下ＩＰアドレスと記載する）を付与し、無線ＬＡＮ端末５０ａ〜５０ｎに関するユーザ管理情報（ＩＰアドレス、加入者情報、送受信パケット数、送受信バイト数、エラーパケット数）を取得してＭＩＢ４０ｄに格納する。ここで、加入者情報とは、電話番号等、その無線ＬＡＮ端末を保有するユーザを識別可能な情報である。
【００３２】
ＭＩＢ４０ｄは、ＲＦＣ１２１３  ＭＩＢ−２に規定された標準ＭＩＢを拡張した拡張ＭＩＢである。すなわち、この拡張ＭＩＢは、管理オブジェクト（管理情報）として無線ＬＡＮ端末５０ａ〜５０ｎに付与したＩＰアドレスと、このＩＰアドレスに対応する加入者情報、送受信パケット数、送受信バイト数、エラーパケット数を新たに定義したＭＩＢである。
【００３３】
次に、このように構成された第２実施形態におけるネットワーク管理システムの動作について説明する。
【００３４】
図６は、無線中継装置４０の制御部４０ｃの動作フローチャート図である。
まず、制御部４０ｃは、無線ＬＡＮ端末５０ａ〜５０ｎからそれぞれの加入者情報を取得し（ステップＳ１０）、無線ＬＡＮ端末５０ａ〜５０ｎにそれぞれＩＰアドレスを付与する（ステップＳ１１）。そして、制御部４０ｃは、図７に示すように上記ＩＰアドレスに対応したユーザ管理情報格納部６０ａ〜６０ｎをＭＩＢ４０ｄに作成する（ステップＳ１２）。この時、ユーザ管理情報格納部６０ａ〜６０ｎには、無線ＬＡＮ端末５０ａ〜５０ｎに付与されたＩＰアドレスと加入者情報とが格納される。
【００３５】
そして、制御部４０ｃは、上記ＩＰアドレス、すなわち、それぞれの無線ＬＡＮ端末５０ａ〜５０ｎに関するユーザ管理情報（送受信パケット数、送受信バイト数、エラーパケット数）の取得を開始してユーザ管理情報格納部６０ａ〜６０ｎに格納していく（ステップＳ１３）。
【００３６】
また、上記のＩＰアドレスには、当該ＩＰアドレスを使用可能な有効時間が設定されており、制御部４０ｃは、各ユーザ管理情報格納部に格納されているＩＰアドレスが有効か否かを判定する（ステップＳ１４）。このステップＳ１４では、有効時間が切れたＩＰアドレスを無効（使用不可）と判定する。制御部４０ｃは、ステップＳ１４でＩＰアドレスが有効であると判定するとステップ１３に戻り、ユーザ管理情報の取得を継続する。一方、
制御部４０ｃは、ステップＳ１４でＩＰアドレスが無効であると判定すると、このＩＰアドレスを持つユーザは移動車輌３０から下車したと判断してユーザ管理情報の取得を停止し、無効となったＩＰアドレスに対応するユーザ管理情報格納部に格納されているユーザ管理情報をＳＮＭＰ管理サーバ１へ通知する（ステップＳ１５）。そして、制御部４０ｃは、無効となったＩＰアドレスに対応するユーザ管理情報格納部を削除する（ステップＳ１６）。
【００３７】
また、図７に示すようにＭＩＢ４０ｄには、無線中継装置４０全体の装置管理情報を格納する装置管理情報格納部７０、端末通信部４０ｂに関するインターフェース管理情報を格納するインターフェース管理情報格納部７１も作成される。
【００３８】
制御部４０ｃは、このような動作を繰り返すことで、ユーザの入れ替わりの激しいバスや電車等の移動車輌３０内において、ユーザが乗車中に使用した送受信パケット数等のユーザ管理情報を管理し、無効となったＩＰアドレス、すなわち、下車したと判断されるユーザのユーザ管理情報を順次ＳＮＭＰ管理サーバ１へ通知する。ＳＮＭＰ管理サーバ１は、上記のように送られてきたユーザ管理情報の内の加入者情報を元に課金対象であるユーザを識別して、送受信パケット数等のユーザ管理情報に基づいて課金を行う。
【００３９】
このように、本第２実施形態によれば、ローカルネットワークにおいても、ユーザ毎のユーザ管理情報を得ることができ、パケット課金に対応することが可能である。
【００４０】
なお、本発明は、上記実施形態に限定されるものではなく、例えば以下のような変形例が考えられる。
【００４１】
（１）上記第１実施形態では、管理対象機器３は、１つのインターフェース３ｂを備えていたが、これに限らず、複数のインターフェースを備えていても良い。この場合でも、各インターフェースについてそれぞれユーザ管理情報を取得することが可能である。また、第２実施形態でも上記と同様である。
【００４２】
（２）上記第２実施形態では、ローカルネットワークとしてバスや電車等の移動車輌３０について説明したが、もちろん他のローカルネットワークにおいても適用可能である。
【図面の簡単な説明】
【００４３】
【図１】本発明の第１実施形態に係わるネットワーク管理システムの構成概略図である。
【図２】本発明の第１実施形態における制御部３ａの動作フローチャートである。
【図３】本発明の第１実施形態におけるＭＩＢ３ｃの内部構成である。
【図４】本発明の第２実施形態に係わるネットワーク管理システムの構成概略図である。
【図５】本発明の第２実施形態における無線中継装置４０の内部構成ブロック図である。
【図６】本発明の第２実施形態における制御部４０ｃの動作フローチャート図である。
【図７】本発明の第２実施形態におけるＭＩＢ４０ｄの内部構成である。
【符号の説明】
【００４４】
１…ＳＮＭＰ管理サーバ、２…通信回線網、３…管理対象機器、４ａ〜４ｎ…ユーザ端末、３ａ、４０ｃ…制御部、３ｂ…インターフェース、３ｃ、４０ｄ…ＭＩＢ、２０…無線基地局、３０…移動車輌、４０…無線中継装置、４０ａ…無線通信部、４０ｂ…端末通信部、５０ａ〜５０ｎ…無線ＬＡＮ端末
【図１】
2006331289.tif 000003
【図２】
2006331289.tif 000004
【図３】
2006331289.tif 000005
【図４】
2006331289.tif 000006
【図５】
2006331289.tif 000007
【図６】
2006331289.tif 000008
【図７】
2006331289.tif 000009